(57)【特許請求の範囲】
【請求項１】
アップリンクシステムにおけるエンドユーザの受信器のデータコンテントソースへのアクセスを制御する条件付きアクセスシステムにおいて、前記アップリンクシステムが、前記データコンテントソースから供給されるデータコンテントをスクランブルするスクランブラと、制御ワード及びエンタイトルメント識別を含むエンタイトルメント制御メッセージを生成するエンタイトルメント制御メッセージ生成器と、前記スクランブルされたデータコンテント及び前記エンタイトルメント制御メッセージを伝送するトランスミッタと、を有し、前記受信器にはデスクランブラとエンタイトルメント制御メッセージデコーダとが関連付けられており、前記エンタイトルメント制御メッセージのエンタイトルメントと前記エンドユーザのエンタイトルメントとの間に合致がある場合、前記受信器に権利が付与される前記スクランブルされた受信コンテントの一部分をデスクランブルするために、前記エンタイトルメント制御メッセージデコーダが前記デスクランブラに制御ワードを供給する、条件付きアクセスシステムであって、前記データコンテントソースからの前記データコンテントの一部分を、前記データコンテントの前記部分の予め選択されたオブジェクトを表わす少なくとも１つのオブジェクトデータストリームと、前記オブジェクトデータをもたない前記データコンテントの前記部分を表わす残りのデータストリームとに分離するために、前記データコンテントソースに結合されたセパレータが設けられており、前記少なくとも１つのオブジェクトデータストリームは前記スクランブラの入力部に供給され、前記デスクランブルされたオブジェクトデータを前記残りのデータコンテントと組み合わせるために、コンバイナが前記デスクランブラの出力部に接続され、個別のエンタイトルメントが前記オブジェクトに割り当てられ、前記データコンテントの前記部分の前記オブジェクトが複数あり、それぞれ異なる前記個別のエンタイトルメントが、前記オブジェクトの各々に割り当てられ、前記データコンテントソースへのアクセスが、複数レベルの条件付きアクセスである、ことを特徴とする、条件付きアクセスシステム。
【請求項２】
前記オブジェクトのそれぞれが、予め決められたレベルの詳細な情報に関連する、請求項１に記載の条件付きアクセスシステム。
【請求項３】
前記データコンテントの前記部分がビデオフレームを有し、前記オブジェクトを分離することにより切り抜かれた前記フレーム部分を再構築するために、先行する及び/又は後に続くビデオフレームが使用される、請求項１に記載の条件付きアクセスシステム。
【請求項４】
シーン描写データが前記セパレータから前記コンバイナへ伝送され、それにより前記オブジェクトデータが前記残りのデータと組み合わせられる、請求項１に記載の条件付きアクセスシステム。
【請求項５】
読み込み可能な説得的な標示を表すデータが前記残りのデータコンテントに加えられる、請求項１に記載の条件付きアクセスシステム。
【請求項６】
データコンテントソースと、前記データコンテントソースからの前記データコンテントの少なくとも一部分をスクランブルするスクランブラと、制御ワード及びエンタイトルメント識別を含むエンタイトルメント制御メッセージを生成するエンタイトルメント制御メッセージ生成器と、前記スクランブルされたデータコンテント及び前記エンタイトルメント制御メッセージを伝送するトランスミッタと、を有する請求項１に記載の条件付きアクセスシステムに適したアップリンクシステムであって、前記データコンテントソースからの前記データコンテントの一部分を、前記データコンテントの前記部分の予め選択されたオブジェクトを表わす少なくとも１つのオブジェクトデータストリームと、前記オブジェクトデータをもたない前記データコンテントの前記部分を表わす残りのデータストリームとに分離するために、前記データコンテントソースに結合されたセパレータが設けられており、前記少なくとも１つのオブジェクトデータストリームが、前記スクランブラの前記入力部に供給され、前記データコンテントの前記部分の前記オブジェクトが複数あり、それぞれ異なる前記個別のエンタイトルメントが、前記オブジェクトの各々に割り当てられ、前記データコンテントソースへのアクセスが、複数レベルの条件付きアクセスである、アップリンクシステム。
【請求項７】
デスクランブラ及びエンタイトルメント制御メッセージデコーダを有する、請求項１に記載の条件付きアクセスシステムに適した受信器であって、前記デスクランブルされたオブジェクトデータを前記残りのデータコンテントと組み合わせるために、コンバイナが前記デスクランブラの前記出力部に接続され、個別のエンタイトルメントが前記オブジェクトに割り当てられ、前記データコンテントの前記部分の前記オブジェクトが複数あり、それぞれ異なる前記個別のエンタイトルメントが、前記オブジェクトの各々に割り当てられ、前記データコンテントソースへのアクセスが、複数レベルの条件付きアクセスである、受信器。
【発明の詳細な説明】
【０００１】
【発明の属する技術分野】
本発明は、アップリンクシステムにおけるエンドユーザの受信器のデータコンテントソースへのアクセスを制御する条件付きアクセスシステムであって、アップリンクシステムが、データコンテントソースから供給されるデータコンテントをスクランブルするスクランブラと、制御ワード及びエンタイトルメント識別を含むエンタイトルメント制御メッセージを生成するエンタイトルメント制御メッセージ生成器と、スクランブルされたデータコンテント及びエンタイトルメント制御メッセージを伝送するトランスミッタと、を有し、デスクランブラ及びエンタイトルメント制御メッセージデコーダが受信器に関連付けられており、エンタイトルメント制御メッセージのエンタイトルメントとエンドユーザのエンタイトルメントとの間に合致がある場合、受信器に権利が付与されるスクランブルされた受信コンテントの一部分をデスクランブルするために、エンタイトルメント制御メッセージデコーダがデスクランブラに制御ワードを供給する、条件付きアクセスシステムに関する。
【０００２】
本発明は、更にこのような条件付きアクセスシステムにおいて使用するアップリンクシステムにも関する。
【０００３】
本発明は、更にこのような条件付きアクセスシステムにおいて使用する受信器にも関する。
【０００４】
【従来の技術】
このような条件付きアクセスシステムは、文献「Functional model of a conditional access system」（EBU Technical Review, Winter 1995, No.266, page 64-77）から知られている。
【０００５】
今日のアクセスシステムでは、ユーザが、データコンテントの必須部分（例えば、サッカーの試合）へアクセスするために料金を支払う。支払わなければ、何も受信できない。ユーザのエンタイトルメントは、データコンテントの必須部分に割り当てられる。現在の条件付きアクセスシステムは、プロバイダからのサービスに対してアクセス権を与えるために様々な種類のエンタイトルメントを提供しており、これらのエンタイトルメントは、当該サービスの支払い方法に関連している。
【０００６】
【発明が解決しようとする課題】
しかしながら、本発明は、ユーザにデータコンテントの必須部分を購入する意欲を起こさせるために、そのデータコンテントの必須部分を受信する可能性に対し一層直接的にユーザの注意を引きつけることを目的とする。
【０００７】
【課題を解決するための手段】
この目的は、ソースからのデータコンテントの一部分を、データコンテントの該部分の予め選択されたオブジェクトを表わす少なくとも１つのオブジェクトデータストリームと、オブジェクトデータをもたないデータコンテントの該部分を表わす残りのデータストリームとに分離するために、データコンテントソースに結合されたセパレータが設けられており、少なくとも１つのオブジェクトデータストリームがスクランブラの入力部に供給され、デスクランブルされたオブジェクトデータを残りのデータコンテントと組み合わせるために、コンバイナがデスクランブラの出力部に接続され、個別のエンタイトルメントが前記オブジェクトに割り当てられる本発明により達成される。
【０００８】
データコンテントの必須部分は、この必須部分の残りの部分から不可欠なオブジェクト、例えば、サッカーの試合のシーン中のボールなどを分離するために分析される。ユーザへのブロードキャスト信号において、この不可欠なオブジェクトは、別個のオブジェクトとして識別される。この不可欠なオブジェクトは、別個の条件付きアクセスコードを与えられるので、個別のエンタイトルメントが、当該オブジェクトに割り当てられる。例えば、ユーザは、データコンテントの必須部分の残りの部分、すなわち、ボールが無いサッカーの試合の残りの部分を無料で受信することができる。ボールが無いサッカーの試合を視聴することによって、視聴者は、完全なシーンを見るために料金を支払いたいという意欲をもつようになる。
【０００９】
米国特許第5,442,701号において、準品質のビデオ信号を得るために、ビデオ信号が、質の面でアナログ又はディジタルレベルに適応されることが述べられている。この適応は、サッカーのシーンには全く無関係である。しかしながら、本発明によると、シーン適応は、（ボールのような）不可欠なオブジェクトを分離することによって実施される。更に、本発明は、必須部分の残りの部分が良好な品質を有し、従ってより意図的に見えるという利点を有する。これにより、ユーザは、データコンテントの完全な必須部分（完全なサッカーの試合）に対して料金を支払う方向へ一層かり立てられる。
【００１０】
サッカーの試合の準品質バージョンは使用に適したものではないようである。本発明による条件付きアクセスシステムにおいて、データコンテントの残りの部分は、使用に適さないものではない。例えば、本発明による条件付きアクセスシステムは、より多くのレベル（より多くの料金レベル）の条件付きアクセスを含むプログラムにも一般化することができ、このプログラムでは最低レベル（無料）でも価値がありうる。本発明は、基本的なレベルでは無料である（テレテキスト参照）一方で、詳細な情報、写真等を得るには料金を支払わなければならない電子新聞にも適用される。
【００１１】
本発明による条件付きアクセスシステムの好ましい実施例の構造を示す添付の図面を参照することによって、本発明は更に説明されるであろう。
【００１２】
一般に、条件付きアクセスシステムにおいて、とりわけサービスとイベントとが区別されうる。
【００１３】
サービスは、放送事業者の制御下におけるプログラムのシーケンスであって、スケジュールの一部としてブロードキャストされることができる。このサービスは、中央参照エンティティである。
【００１４】
イベントは、例えば、サッカーの試合、ニュース速報、エンターテイメントショーなどの共通サービスに属する、規定された開始時間及び終了時間をもつ基本のブロードキャストデータストリームのグループである。イベントは、常にただ１つのサービスの一部であり、すなわち、１つのイベントが、複数のサービスの一部になることはできない。
【００１５】
本発明によると、データコンテントソースからのデータコンテントの一部分（イベント）は、データコンテントの該部分の予め選択されたオブジェクトを表わす少なくとも１つのオブジェクトデータストリームと、オブジェクトデータをもたないデータコンテントの該部分を表わす残りのデータストリームとに分離される。少なくとも１つのオブジェクトデータストリームが、スクランブルされ、複数のユーザに伝送される。ユーザが、データコンテントの完全な部分に対して、具体的には当該オブジェクトに対して、料金を既に支払っているならば、残りのデータストリームと少なくとも１つのオブジェクトデータストリームとが組み合わされる。こうして、個別のエンタイトルメントが、当該オブジェクトに割り当てられる。
【００１６】
【発明の実施の形態】
図において、本発明によるいわゆるオブジェクト条件付きアクセスシステムの一例が示されており、イベントとしてサッカーの試合を参照して説明されるであろう。
【００１７】
オブジェクト条件付きアクセスシステムは、ディジタルテレビジョンブロードキャストシステムにおいてだけでなく、インターネットプロトコルを介するビデオシステムにおいてもまた使用されることができることに留意されたい。
【００１８】
図に示される条件付きアクセスシステムのアップリンクシステム１は、データコンテントソース２を有する。データコンテントの一部分は、サッカーの試合に関するビデオデータでありうる。データコンテントの当該部分は、セパレータ３に供給される。このセパレータ３は、ビデオデータを、ビデオデータの予め選択されたオブジェクトを表わす少なくとも１つのオブジェクトデータストリームであるos1及びos2と、オブジェクトデータをもたないビデオデータを表わす残りのデータストリームrsとに分離する。サッカーの試合の例において、第１オブジェクトは、サッカーのボールでありえ、第２オブジェクトは、サッカーの試合に関するオーディオコメントでありうる。第１及び第２オブジェクトデータストリームos1及びos2は、上記オブジェクトデータを双方ともスクランブルするスクランブラ４に接続されるので、権利を付与されたユーザは、当該オブジェクトデータを受信することができない。
【００１９】
更に、アップリンクシステム１は、スクランブラ４のスクランブル動作を制御するためにスクランブラ４に供給される制御ワードcwを送り出す制御ワード生成器５を有する。加えて、制御ワードcwは、制御ワード及びエンタイトルメント識別を含むエンタイトルメント制御メッセージecmを生成するエンタイトルメント制御メッセージ生成器６に供給される。
【００２０】
エンタイトルメント制御メッセージecm、スクランブルされたオブジェクトデータ信号であるsos1及びsos2、並びに残りのデータストリームrsは、複数の潜在的なユーザの受信器７に伝送されるか又はブロードキャストされる。残りのデータストリームは、セパレータ３から直接伝送され、スクランブラ４を介して伝送されないことに留意されたい。但し、残りのデータストリームrsをスクランブルすることも可能である。
【００２１】
受信器７は、デスクランブラ８と、エンタイトルメント制御メッセージデコーダ９とを有する。
【００２２】
エンタイトルメント制御メッセージは、デコーダ９により受信される。受信器７のユーザが、当該オブジェクトデータを受信する権利を付与されている場合、制御ワードcwが、デスクランブラ８に与えられる。この制御ワードによって、オブジェクトデータが、デスクランブルされるとともに、コンバイナ１０に供給されるように、デスクランブラ８が制御される。完成したビデオデータvdをデータシンク１１に呈示するために、デスクランブルされたオブジェクトデータ信号であるdos1及びdos2と、残りのデータrsとが、コンバイナ１０において組み合わせられる。
【００２３】
セパレータ３は、シーン描写データsdを生成し、このデータsdが、受信器７に伝送されるとともに、コンバイナ１０により受信される。上記シーン描写データsdに基づいて、オブジェクトデータと残りのデータとが組み合わされて完成したビデオデータvdとなる。
【００２４】
図に示された実施例において、各ユーザは、それぞれの受信器７により残りのビデオデータを受信することができ、料金を課せられることなく当該シーンの残りの部分を見ることができる。好ましくは、読み取り可能な説得的な標示を表すデータが残りのデータに加えられ、視聴者は、例えば「ボールを購入しなさい」という標示を見ることができる。
【００２５】
ユーザは、説得されてボールを購入した場合にはボールに関するデータを受信する権利を付与される。次に、ユーザのエンタイトルメントと、エンタイトルメント制御メッセージのエンタイトルメントとの間に合致が生じる。この合致に基づいて、エンタイトルメント制御メッセージ生成器９は、制御ワードcwを送り出すために当該メッセージをデコードする。この制御ワードcwは、オブジェクトデータをデスクランブルするためにデスクランブラ８に与えられる。
【００２６】
例えば、ビデオデータからのボールのようなオブジェクトを分離することにより、ビデオフレームは、ボールの形の切り抜かれた部分をもつことになる。好ましくは、このような切り抜かれた部分は、当該オブジェクトの位置における先行する及び/又は後に続くビデオフレームの情報で埋められ、それによりボールの位置が再構築される。
【００２７】
既知の条件付きアクセスシステムにおいて、ビデオ/オーディオオブジェクトを受信し、このオブジェクトをデコードするためのエンタイトルメントを購入するために、プロトコルが使用される。このエンタイトルメントの管理は、いわゆるエンタイトルメント管理メッセージを伝送し受信することによって行われる。
【００２８】
好ましくは、エンタイトルメント制御メッセージ及びエンタイトルメント管理メッセージが暗号化され、これについてはスマートカードが使用されうる。
【００２９】
データコンテントソースは、基本レベルの情報と、幾つかのレベルの詳細な情報とを含むプログラムを有することができる。基本レベルの情報は、無料でアクセスすることができるのに対し、幾つかのレベルの詳細な情報は、いくらかの金額を支払うことによりアクセスすることができ、個別のエンタイトルメントに関連付けられる。
【図面の簡単な説明】
【図１】本発明によるオブジェクト条件付きアクセスシステムを示す図。
【図１】
0004703932.tif 000002